【手続補正書】
【提出日】平成25年6月18日(2013.6.18)
【手続補正１】
【補正対象書類名】特許請求の範囲
【補正対象項目名】全文
【補正方法】変更
【補正の内容】
【特許請求の範囲】
【請求項１】
同じ色のインクを吐出するための複数のノズルが所定方向に配列されたノズル列を複数有し、前記複数のノズル列のうち一つのノズル列の前記所定方向における一方の端部に配列された一部のノズルと、前記一つのノズル列と前記所定方向に隣接する位置に配置された他のノズル列の前記所定方向における前記所定のノズル列側の端部に配列された一部のノズルとが、前記所定方向とほぼ直交する交差方向に並ぶことで記録媒体上の同一の領域に記録可能な重複部を形成するように、前記複数のノズル列が前記所定方向に配置された記録ヘッドであって、それぞれ色が異なる第１の色、第２の色、第３の色のインクを吐出する第１の前記記録ヘッド、第２の前記記録ヘッド、第３の前記記録ヘッドを含む複数の記録ヘッドが前記交差方向に並んで配置された記録ヘッド群と前記記録媒体とを相対的に移動させながら前記記録ヘッド群からインクを吐出することにより記録を行うインクジェット記録装置であって、
前記第１の記録ヘッドと前記第２の記録ヘッドの間の前記交差方向における距離は、前記第１の記録ヘッドと前記第３の記録ヘッドの間の前記交差方向における距離よりも長く、
前記第１の記録ヘッドの第１の前記重複部は、前記第２の記録ヘッドの前記第１の重複部と前記所定方向において最も近い位置にある第２の前記重複部と、前記第３の記録ヘッドの前記第１の重複部と前記所定方向において最も近い位置にある第３の前記重複部と、の前記所定方向における間に位置し、
前記第１の重複部と前記第２の重複部は前記所定方向において第１の間隔をとって離れており、前記第１の重複部と前記第３の重複部は前記所定方向において前記第１の間隔よりも短い第２の間隔をとって離れていることを特徴とするインクジェット記録装置。
【請求項２】
前記複数の記録ヘッドのうち、前記第１の記録ヘッドと前記第２の記録ヘッドとが互いに前記交差方向に最も離れた位置関係となるように配置されていることを特徴とする請求項１に記載のインクジェット記録装置。
【請求項３】
前記複数の記録ヘッドのうち、前記第１の記録ヘッドと前記第３の記録ヘッドは前記交差方向に隣接した位置に配置されていることを特徴とする請求項１または２に記載のインクジェット記録装置。
【請求項４】
前記複数の記録ヘッドは第４の色のインクを吐出する第４の記録ヘッドを含み、
前記インクジェット記録装置が前記第３の色のインクと前記第４の色のインクとの両方を用いて記録することが可能な色の数は、前記インクジェット記録装置が前記第１の色のインクと前記第２の色のインクとの両方を用いて記録することが可能な色の数よりも少なく、
前記第３の重複部と、前記第４の記録ヘッドの前記第１の重複部と前記所定方向において最も近い位置にある第４の前記重複部とは、少なくとも一部の範囲が前記所定方向において重なっていることを特徴とする請求項１から３のいずれか１項に記載のインクジェット記録装置。
【請求項５】
前記複数の記録ヘッドは第４の色のインクを吐出する第４の記録ヘッドを含み、
前記インクジェット記録装置が前記第３の色のインクと前記第４の色のインクとの両方を用いて記録することが可能な色を記録する際に使用する前記第３の色のインクと第４の色のインクの量の合計は、前記インクジェット記録装置が前記第１の色のインクと前記第２の色のインクとの両方を用いて記録することが可能な色を記録する際に使用する前記第１の色のインクと第２の色のインクの量の合計よりも少なく、
前記第３の重複部と、前記第４の記録ヘッドの前記第１の重複部と前記所定方向において最も近い位置にある第４の前記重複部とは、少なくとも一部の範囲が前記所定方向において重なっていることを特徴とする請求項１から３のいずれか１項に記載のインクジェット記録装置。
【請求項６】
前記第３の色のインクはブラックインクであり、前記第４の色のインクは前記インクジェット記録装置において用いられるインクより濃度が低い淡色のインクであることを特徴とする請求項１から５のいずれかに記載のインクジェット記録装置。
【請求項７】
前記第４の色のインクは、オレンジインク、グリーンインク、ブルーインクのいずれかであることを特徴とする請求項１から５のいずれかに記載のインクジェット記録装置。
【請求項８】
前記複数の記録ヘッドの複数の前記重複部うちのいずれの二つの前記重複部の組み合せにおいても、前記所定方向に間隔をとって互いに離れていることを特徴とする請求項１から４のいずれか１項に記載のインクジェット記録装置。
【請求項９】
前記複数の記録ヘッドのそれぞれの前記重複部は画像記録に使用されるノズルと画像記録に使用されないノズルとを含むことを特徴とする請求項１から７のいずれか１項に記載のインクジェット記録装置。
【請求項１０】
同じ色のインクを吐出するための複数のノズルが所定方向に配列されたノズル列を複数有し、前記複数のノズル列のうち所定のノズル列の前記所定方向における一方の端部に配列された一部のノズルと、前記所定のノズル列と前記所定方向に隣接する位置に配置されたノズル列の前記所定方向における前記所定のノズル列側の端部に配列された一部のノズルとが、前記所定方向とほぼ直交する交差方向に並ぶことで記録媒体上の同一の領域に記録可能な重複部を形成するように、前記複数のノズル列が前記所定方向に配置された記録ヘッドであって、それぞれ色が異なる第１の色、第２の色、第３の色のインクを吐出する第１の前記記録ヘッド、第２の前記記録ヘッド、第３の前記記録ヘッドを含む複数の記録ヘッドが前記交差方向に並んで配置された記録ヘッド群と前記記録媒体とを相対的に移動させながら前記記録ヘッド群からインクを吐出することにより記録を行うインクジェット記録方法であって、
前記第１の記録ヘッドと前記第２の記録ヘッドの間の前記交差方向における距離は、前記第１の記録ヘッドと前記第３の記録ヘッドの間の前記交差方向における距離よりも長く、
前記第１の記録ヘッドの第１の前記重複部は、前記第２の記録ヘッドの前記第１の重複部と前記所定方向において最も近い位置にある第２の前記重複部と、前記第３の記録ヘッドの前記第１の重複部と前記所定方向において最も近い位置にある第３の前記重複部と、の前記所定方向における間に位置し、
前記第１の重複部と前記第２の重複部は前記所定方向において第１の間隔をとって離れており、前記第１の重複部と前記第３の重複部は前記所定方向において前記第１の間隔よりも短い第２の間隔をとって離れていることを特徴とするインクジェット記録方法。
【手続補正２】
【補正対象書類名】明細書
【補正対象項目名】０００７
【補正方法】変更
【補正の内容】
【０００７】
本発明は、同じ色のインクを吐出するための複数のノズルが所定方向に配列されたノズル列を複数有し、前記複数のノズル列のうち所定のノズル列の前記所定方向における一方の端部に配列された一部のノズルと、前記所定のノズル列と前記所定方向に隣接する位置に配置されたノズル列の前記所定方向における前記所定のノズル列側の端部に配列された一部のノズルとが、前記所定方向とほぼ直交する交差方向に並ぶことで記録媒体上の同一の領域に記録可能な重複部を形成するように、前記複数のノズル列が前記所定方向に配置された記録ヘッドであって、それぞれ色が異なる第１の色、第２の色、第３の色のインクを吐出する第１の前記記録ヘッド、第２の前記記録ヘッド、第３の前記記録ヘッドを含む複数の記録ヘッドが前記交差方向に並んで配置された記録ヘッド群と前記記録媒体とを相対的に移動させながら前記記録ヘッド群からインクを吐出することにより記録を行うインクジェット記録装置であって、前記第１の記録ヘッドと前記第２の記録ヘッドの間の前記交差方向における距離は、前記第１の記録ヘッドと前記第３の記録ヘッドの間の前記交差方向における距離よりも長く、前記第１の記録ヘッドの第１の前記重複部は、前記第２の記録ヘッドの前記第１の重複部と前記所定方向において最も近い位置にある第２の前記重複部と、前記第３の記録ヘッドの前記第１の重複部と前記所定方向において最も近い位置にある第３の前記重複部と、の前記所定方向における間に位置し、前記第１の重複部と前記第２の重複部は前記所定方向において第１の間隔をとって離れており、前記第１の重複部と前記第３の重複部は前記所定方向において前記第１の間隔よりも短い第２の間隔をとって離れていることを特徴とする。